(57)【特許請求の範囲】
【請求項１】
筒状のモータハウジングの後方に、軸方向で縦割りされた一対の半割ハウジングをネジ止めしてなるハンドルハウジングを同軸で回動可能に連結し、該ハンドルハウジングにスイッチレバーを設け、前記モータハウジングとハンドルハウジングとの間に、前記ハンドルハウジングの回動を規制可能な固定手段を設けたアングルドリルであって、
前記固定手段を、前記ハンドルハウジングにおける前記スイッチレバーの近傍で揺動可能に、且つ一方の端部を前記ハンドルハウジングの内部側へ付勢させて設けたロックボタンと、前記モータハウジングにおける前記ハンドルハウジングの相対的な回動に伴う前記ロックボタンの端部の移動軌跡上に設けられ、前記端部が係合可能な複数の被係合部と、前記ハンドルハウジングの所定の回動範囲での両端に位置する被係合部に隣接して突設され、該両端の被係合部に前記端部が係合する位置からの前記ロックボタンの更なる回動を阻止するストッパとから形成し、該ストッパ間において前記端部が係合する前記被係合部を選択することにより、前記ハンドルハウジングを前記回動範囲内での任意の回動位置で固定可能とする一方、
前記ロックボタンが、前記ハンドルハウジング外部に露出するボタン部と、該ボタン部の裏側に延設された支持筒とを備え、該支持筒に、前記モータハウジングの軸心方向と直交方向に設けられた前記ハンドルハウジングのネジ止め用のボスを挿通させることで、該ボスを中心に揺動可能に支持されていることを特徴とするアングルドリル。
【発明の詳細な説明】
【０００１】
【発明の属する技術分野】
本発明は、筒状のモータハウジングの後方に、スイッチレバーを備えたハンドルハウジングを同軸で回動可能に連結したアングルドリルに関する。
【０００２】
【従来の技術】
上記アングルドリルは、モータを内蔵した筒状のモータハウジングの前方に、モータの出力軸と直交状にスピンドルを軸支したギヤハウジングを組み付けてなり、モータの出力軸からはベベルギヤによってスピンドルへトルク伝達を行い、スピンドルの先端に装着したビットを回転可能となっている。
一方、モータハウジングの後方には、スイッチレバーを備えたハンドルハウジングが同軸で連結されており、作業者は、一方の手でハンドルハウジングを、他方の手でギヤハウジングに設けたグリップを夫々把持してアングルドリルを支持しながらスイッチレバーを押し込み操作して作業を行うこととなる。
【０００３】
【発明が解決しようとする課題】
ところで、アングルドリルはスピンドルが一方向に突出するものであるから、狭い場所や作業の向き等によっては、スピンドルの向きとハンドルハウジングを把持してスイッチレバーを操作する手の向きとに無理が生じ、使い勝手が悪くなる。そこで、本件出願人は、特開平４−２２３８６１号公報によって、モータハウジングに対してハンドルハウジングを軸回りに回動可能に連結すると共に、両ハウジングの連結部分にハンドルハウジングの固定手段としてボルトを螺合させ、ボルトの締付及び締付解除によってハンドルハウジングを軸回りの任意の位置で固定可能とした発明を提供して、スイッチレバーを操作しやすい角度にハンドルハウジングを変位させて使い勝手の向上を図っている。しかし、ハンドルハウジングの変位の際には、常に工具によるボルトの緊締と解除操作とが必要となって手間や時間がかかってしまう。
【０００４】
そこで、請求項１に記載の発明は、手間や時間がかからない簡単な構成で、ハンドルハウジングを任意の角度に変位させて使い勝手を向上させることができるアングルドリルを提供することを目的としたものである。
【０００５】
【課題を解決するための手段】
上記目的を達成するために、請求項１に記載の発明は、筒状のモータハウジングの後方に、軸方向で縦割りされた一対の半割ハウジングをネジ止めしてなるハンドルハウジングを同軸で回動可能に連結し、該ハンドルハウジングにスイッチレバーを設け、モータハウジングとハンドルハウジングとの間に、ハンドルハウジングの回動を規制可能な固定手段を設けたアングルドリルであって、固定手段を、ハンドルハウジングにおけるスイッチレバーの近傍で揺動可能に、且つ一方の端部をハンドルハウジングの内部側へ付勢させて設けたロックボタンと、モータハウジングにおけるハンドルハウジングの相対的な回動に伴うロックボタンの端部の移動軌跡上に設けられ、端部が係合可能な複数の被係合部と、ハンドルハウジングの所定の回動範囲での両端に位置する被係合部に隣接して突設され、該両端の被係合部に端部が係合する位置からのロックボタンの更なる回動を阻止するストッパとから形成し、該ストッパ間において端部が係合する被係合部を選択することにより、ハンドルハウジングを回動範囲内での任意の回動位置で固定可能とする一方、ロックボタンが、ハンドルハウジング外部に露出するボタン部と、該ボタン部の裏側に延設された支持筒とを備え、該支持筒に、モータハウジングの軸心方向と直交方向に設けられたハンドルハウジングのネジ止め用のボスを挿通させることで、該ボスを中心に揺動可能に支持されていることを特徴とするものである。
【０００６】
【発明の実施の形態】
以下、本発明の実施の形態を図面に基づいて説明する。
図１はアングルドリルの全体図、図２はアングルドリルの一部縦断面説明図で、アングルドリル１は、図示しないモータを同軸で内蔵した筒状のモータハウジング２の前方（図１の左側）に、減速機構を内蔵したギヤハウジング３と、図示しないスピンドルをモータの出力軸と直交方向に軸支したフロントハウジング４とが夫々組み付けられ、フロントハウジング４内では、減速機構の出力軸のトルクをベベルギヤを介してスピンドルへ伝達可能となっている。又、スピンドルには、ビットを着脱可能なチャック５が固定されている。６は、フロントハウジング４の上方に装着されたグリップである。
【０００７】
７はハンドルハウジングで、軸方向に縦割りされる一対の半割ハウジング８，８からなり、組み付け状態で、モータハウジング２の後方に連続する筒状の連結部９と、その連結部９の後方へ延設される小径のハンドル部１０とを形成する。この半割ハウジング８，８は、夫々前端でモータハウジング２の後端に突設された小径の後端部１１を挟む格好でモータハウジング２に連結され、互いにネジ止めされるが、このとき、各半割ハウジング８の前端内周へ周方向に形成された半周分の凹溝１２，１２を、後端部１１の外周へ周方向に突設された二本の突条１３，１３に嵌合させることで、ハンドルハウジング７はモータハウジング２と同軸で回動可能となる。又、ハンドル部１０において半割ハウジング８，８の間には、押し込み操作によってモータを駆動させるスイッチレバー１４が設けられている。
【０００８】
そして、ハンドルハウジング７において、スイッチレバー１４の前方で連結部９には、図３にも示すようにロックボタン１５が備えられる。このロックボタン１５は、外部に露出する四角形状のボタン部１６と、そのボタン部１６の裏側中間位置で連結部９の軸心と直交方向に延設された支持筒１７とからなり、半割ハウジング８，８内で同じく軸心と直交方向に設けられたネジ止め用のボス１８を支持筒１７に挿通させることで、ロックボタン１５はボス１８を中心に揺動可能に支持される。但し、ボタン部１６の後端側は、半割ハウジング８，８内に設けられたリブ１９との間に介在されるコイルバネ２０によって、前端が連結部９の奥側へ傾く姿勢に付勢される。２１は、ボタン部１６の前端裏面に突設された係合部である。
【０００９】
一方、モータハウジング２の後端部１１には、図４に示す如く、ハンドルハウジング７の回動に伴うロックボタン１５の係合部２１の移動軌跡上にあり、係合部２１が係合可能な被係合部としての切除部２２，２２・・が、９０°ずつの変位で周方向に３箇所形成されており、係合部２１が切除部２２，２２・・の何れかに係合する位置では、ロックボタン１５は周方向への移動を規制され、ボタン部１６が連結部９の周面と連続状の姿勢となり、ここからボタン部１６の後端をコイルバネ２０の付勢に抗して連結部９内に押し込むと、支持筒１７を中心としたロックボタン１５の回転により、ボタン部１６の前端が、係合部２１が突条１３，１３の高さを越えるまで切除部２２から離反可能となっている。
【００１０】
以上の如く構成されたアングルドリル１においては、ロックボタン１５の係合部２１が図２のように３つのうちの中央の切除部２２に係合する状態では、前述のように係合部２２が突条１３，１３によって周方向への移動を規制されることで、ロックボタン１５と一体のハンドルハウジング７の回動も規制され、ハンドルハウジング７は当該位置で固定される。ここでモータハウジング２に対するハンドルハウジング７の周方向の角度を変えたい場合は、ロックボタン１５のボタン部１６の後端を前述のように連結部９に押し込むと、ボタン部１６の前端裏側の係合部２１が切除部２２から離反して突条１３，１３との干渉が解かれるため、そのままハンドルハウジング７をモータハウジング２に対して左右何れかの周方向へ回転させることができる。そして、９０°回転した時点でロックボタン１５の押圧を解除すると、コイルバネ２０の付勢によって回転したボタン部１６の係合部２１が切除部２２に係合し、当該位置でハンドルハウジング７の回転をロックする。
【００１１】
尚、モータハウジング２の後端部１１の端面には、ロックボタン１５の係合部２１が両側の切除部２２，２２に係合する位置で支持筒１７に隣接してロックボタン１５の更なる回転を阻止するストッパ２３，２３が突設されていることから、ハンドルハウジング７は、左右のストッパ２３，２３に規制される１８０°の範囲で角度変更できることとなる。
【００１２】
このように上記形態のアングルドリル１によれば、ハンドルハウジング７の固定手段を、ハンドルハウジング７におけるスイッチレバー１４の近傍で揺動可能に、且つ一端の係合部２１をハンドルハウジング７の内部側へ付勢させて設けたロックボタン１５と、モータハウジング２におけるハンドルハウジング７の相対的な回動に伴う係合部２１の移動軌跡上に設けられ、係合部２１が係合可能な複数の切除部２２，２２・・とから形成し、係合部２１が係合する切除部２２の選択により、ハンドルハウジング７を任意の回動位置で固定可能としたことで、ロックボタン１５の押圧、ハンドルハウジング７の回転、ロックボタン１５の押圧解除という操作でハンドルハウジング７の角度変更を行うことができる。よって、工具が不要で、手間や時間をかけることなく、作業に応じてワンタッチで簡単にハンドルハウジング７の角度を選択可能となり、良好な使い勝手が得られる。
【００１３】
尚、ハンドルハウジングの角度変更範囲は、上記形態の１８０°に限らず、ハウジング内のリード線の引き回し等に影響がなければ更に範囲を広くしても良いし、切除部も、９０°ごとに限らずもっと小さい角度にして数を増やせば、角度変更の選択の幅が広がり、より使い勝手に優れた形態となる。
又、ロックボタンは、ボタン部がハンドルハウジングの軸方向と平行となるように設けられているが、モータハウジング側の係合部との係脱が可能であれば、ハンドルハウジングの周方向に設けても差し支えない。
【００１４】
【発明の効果】
請求項１に記載の発明によれば、ロックボタンの押圧、ハンドルハウジングの回転、ロックボタンの押圧解除という操作でハンドルハウジングの角度変更を行うことができる。よって、工具が不要で、手間や時間をかけることなく、作業に応じてワンタッチで簡単にハンドルハウジングの角度を選択可能となり、良好な使い勝手が得られる。
【図面の簡単な説明】
【図１】アングルドリルの全体図である。
【図２】アングルドリルの一部縦断面図である。
【図３】Ａ矢視図である。
【図４】モータハウジングを後方から見た説明図である。
【符号の説明】
１・・アングルドリル、２・・モータハウジング、７・・ハンドルハウジング、１３・・突条、１５・・ロックボタン、１６・・ボタン部、２１・・係合部、２２・・切除部。
【図１】
0003955745.tif 000002
【図２】
0003955745.tif 000003
【図３】
0003955745.tif 000004
【図４】
0003955745.tif 000005